(57)【特許請求の範囲】
【請求項１】
携帯端末装置及び外部表示装置からなる携帯通信システムであって、
上記携帯端末装置は、
予め記憶している基本画像の画像群に含まれる複数の基本画像を組み合わせてなる複合画像を表示する端末表示手段と、
上記端末表示手段によって表示した上記複合画像を構成する複数の基本画像を上記外部表示装置に送信する送信手段と、
上記複合画像を構成する複数の基本画像の何れかを変更する操作が行われた場合、当該変更対象の基本画像を上記画像群に含まれる他の基本画像に置換し、当該置換後の複合画像を上記端末表示手段に表示させると共に、上記他の基本画像を上記外部表示装置に上記送信手段を介して送信する制御手段と
を有し、
上記外部表示装置は、
上記複合画像を構成する複数の基本画像を上記携帯端末装置から受信する通信手段と、
上記通信手段によって受信した上記複合画像を構成する複数の基本画像をそれぞれ同時に表示する外部表示手段と、
上記複合画像を構成する複数の基本画像の何れかを変更する操作が行われた場合、上記他の基本画像を上記通信手段を介して上記携帯端末装置に要求し、上記携帯端末装置から受信した上記他の基本画像により変更対象の基本画像を置換して上記外部表示手段に表示させる制御手段と
を有する携帯通信システム。
【請求項２】
上記複合画像は、複数の上記基本画像を合成してなる合成画像である
請求項１に記載の携帯通信システム。
【請求項３】
上記複合画像は、複数の上記基本画像を所定の順序で配列してなる動画である
請求項１に記載の携帯通信システム。
【請求項４】
上記外部表示装置は、動画である上記複合画像における配列が隣接する上記基本画像同士を離間して表示する
請求項３に記載の携帯通信システム。
【請求項５】
上記外部表示装置は、上記基本画像の順番を示すために、隣接する当該基本画像同士を一部重ねた状態で表示する
請求項４に記載の携帯通信システム。
【請求項６】
携帯端末装置において、予め記憶している基本画像の画像群に含まれる複数の上記基本画像を組み合わせてなる複合画像を表示すると共に上記複合画像を構成する複数の基本画像を外部表示装置に送信し、上記外部表示装置において、上記複合画像を構成する複数の基本画像を上記携帯端末装置から受信し、上記複合画像を構成する複数の基本画像をそれぞれ同時に表示する第１のステップと、
上記複合画像を構成する複数の基本画像の何れかを変更する操作が行われた場合、携帯端末装置において、変更対象の基本画像を上記画像群に含まれる他の基本画像に置換し、当該置換後の複合画像を表示すると共に、上記他の基本画像を上記外部表示装置に送信し、上記外部表示装置において、上記携帯端末装置から受信した上記他の基本画像により変更対象の基本画像を置換して表示する第２のステップと
を具える画像編集方法。
【請求項７】
上記複合画像は、複数の上記基本画像を合成してなる合成画像である
請求項６に記載の画像編集方法。
【請求項８】
上記複合画像は、複数の上記基本画像を所定の順序で配列してなる動画である
請求項６に記載の画像編集方法。
【請求項９】
上記外部表示装置は、動画である上記複合画像を構成する基本画像の配列が隣接する上記基本画像同士を離間して表示する
請求項８に記載の画像編集方法。
【請求項１０】
上記外部表示装置は、上記基本画像の順番を示すために、隣接する当該基本画像同士を一部重ねた状態で表示する
請求項９に記載の画像編集方法。
【請求項１１】
外部の携帯端末装置が予め記憶している基本画像の画像群に含まれる複数の基本画像を組み合わせて表示する複合画像を構成する複数の基本画像を上記携帯端末装置から受信する通信手段と、
上記通信手段によって受信した上記複合画像を構成する複数の基本画像をそれぞれ同時に表示する表示手段と、
上記複合画像を構成する複数の基本画像の何れかを変更する操作が行われた場合、上記画像群に含まれる他の基本画像を上記通信手段を介して上記携帯端末装置に要求し、当該要求に応じて変更対象の基本画像を上記画像群に含まれる他の基本画像に置換して複合画像を表示する上記携帯端末装置から上記通信手段を介して受信した上記他の基本画像により変更対象の基本画像を置換して上記表示手段に表示させる制御手段と
を具える外部表示装置。
【請求項１２】
予め記憶している基本画像の画像群に含まれる複数の基本画像を組み合わせてなる複合画像を表示する表示手段と、
上記表示手段によって表示した上記複合画像を構成する複数の基本画像を、上記複合画像を構成する複数の基本画像をそれぞれ同時に表示する外部表示装置に送信する送信手段と、
上記複合画像を構成する複数の基本画像の何れかを変更する操作が行われた場合、当該変更対象の基本画像を上記画像群に含まれる他の基本画像に置換し、当該置換後の複合画像を上記表示手段に表示させると共に、当該置換後の複合画像を構成する上記他の基本画像を上記外部表示装置に上記送信手段を介して送信する制御手段と
を具える携帯端末装置。
【発明の詳細な説明】
【０００１】
【発明の属する技術分野】
本発明は、携帯通信システム、画像編集方法、外部表示装置及び携帯端末装置に関し、例えば複数の画像を組み合わせてなる合成画像又は動画等を表示する携帯電話機に適用して好適なものである。
【０００２】
【従来の技術】
従来、この種の携帯電話機として、通話機能及び電子メールの送受信機能に加えて、絵、写真、合成画像、動画等の画像の送受信機能を備えたものがある。
【０００３】
【発明が解決しようとする課題】
ところでかかる構成の携帯電話機においては、合成画像や動画を編集する場合に、その液晶ディスプレイにおける表示面積の制限上、当該合成画像や動画を構成する複数の基本画像を一度に全て表示することが困難である。
【０００４】
従って携帯電話機で合成画像や動画等を編集する際、これらを構成する各基本画像を順次切り替えて表示しなければならず、画像編集作業が困難かつ煩雑になるという問題があった。
【０００５】
本発明は以上の点を考慮してなされたもので、携帯端末装置による画像編集作業を一段と容易に実行し得る携帯通信システム、画像編集方法、外部表示装置及び当該携帯端末装置を提案しようとするものである。
【０００６】
【課題を解決するための手段】
かかる課題を解決するため本発明においては、携帯端末装置及び外部表示装置からなる携帯通信システムであって、携帯端末装置は、予め記憶している基本画像の画像群に含まれる複数の基本画像を組み合わせてなる複合画像を表示する表示手段と、表示手段によって表示した複合画像を構成する複数の基本画像を外部表示装置に送信する送信手段と、複合画像を構成する複数の基本画像の何れかを変更する操作が行われた場合、当該変更対象の基本画像を画像群に含まれる他の基本画像に置換し、当該置換後の複合画像を表示手段に表示させると共に、他の基本画像を外部表示装置に送信手段を介して送信する制御手段とを有し、外部表示装置は、複合画像を構成する複数の基本画像を携帯端末装置から受信する通信手段と、通信手段によって受信した複合画像を構成する複数の基本画像をそれぞれ同時に表示する表示手段と、複合画像を構成する複数の基本画像の何れかを変更する操作が行われた場合、他の基本画像を通信手段を介して携帯端末装置に要求し、携帯端末装置から受信した他の基本画像により変更対象の基本画像を置換して表示手段に表示させる制御手段とを有する。
【０００７】
この結果この携帯通信システムでは、ユーザは外部表示装置を介して各基本画像を同時に参照しながら、これら基本画像の中から容易に変更対象の画像を選択することができると共に、携帯端末装置を介して当該変更後における複合画像を瞬時に目視視認することができる。
【０００８】
また本発明においては、画像編集方法であって、携帯端末装置において、予め記憶している基本画像の画像群に含まれる複数の基本画像を組み合わせてなる複合画像を表示すると共に複合画像を構成する複数の基本画像を外部表示装置に送信し、外部表示装置において、複合画像を構成する複数の基本画像を携帯端末装置から受信し、複合画像を構成する複数の基本画像をそれぞれ同時に表示する第１のステップと、複合画像を構成する複数の基本画像の何れかを変更する操作が行われた場合、携帯端末装置において、当該変更対象の基本画像を画像群に含まれる他の基本画像に置換し、当該置換後の複合画像を表示すると共に、他の基本画像を外部表示装置に送信し、外部表示装置において、携帯端末装置から受信した他の基本画像により変更対象の基本画像を置換して表示する第２のステップとを設けるようにした。
【０００９】
この結果この画像編集方法では、ユーザは外部表示装置を介して各基本画像を同時に参照しながら、これら基本画像の中から容易に変更対象の画像を選択することができると共に、携帯端末装置を介して当該変更後における複合画像を瞬時に目視視認することができる。
【発明の実施の形態】
【００１０】
以下図面について、本発明の一実施の形態を詳述する。
【００１１】
（１）第１の実施の形態
（１−１）第１の実施の形態による携帯通信システムの全体構成
図１において、１０は全体として本実施の形態による携帯通信システムを示し、携帯電話機１１と、この携帯電話機１１と組み合わせて用いられる外部表示装置３０とから構成されている。
【００１２】
この携帯電話機１１においては、中央のヒンジ部１２を介して回動可能にそれぞれ接続された上側筐体１３と下側筐体１４とに分けられており、この携帯側ヒンジ部１２を介して折り畳み可能な状態に形成されるようになされている。
【００１３】
上側筐体１３には、その上端面１３Ａの一端部に、送受信用アンテナ１５が引出収納自在に設けられており、基地局（図示せず）との間で信号を送受信し得るようになされている。
【００１４】
また上側筐体１３には、その正面１３Ｂの上側に、上端面１３Ａの一部をなすCCD（Charge Coupled Device：固体撮像素子）型のカメラ１６が回動自在に設けられており、当該レンズ１７を介して被写体を撮影し得るようになされている。
【００１５】
さらに上側筐体１３には、その正面１３Bの中央部に、液晶ディスプレイでなる携帯側表示部１８が設けられており、日付、時刻、発信履歴、着信履歴、カメラ１６で撮影される被写体の画像、電子メールの文字及び画像等を表示するようになされている。またカメラ１６と表示部１８との間には、スピーカー１９が設けられており、通話相手の音声、着信音、警報音等を出力するようになされている。
【００１６】
さらに上側筐体１３には、その背面側内部に、対外部装置用アンテナ２２（図２）が設けられており、外部表示装置３０の内部に設けられた対携帯用アンテナ３６（図２）との間で、電子メールの文字又は画像等の通信データを相互に送受信し得るようになされている。
【００１７】
一方下側筐体１４には、その正面１４Ａの中央部に、各数字ボタン、発呼ボタン、電源兼終話ボタン及びクリアボタン等から構成される携帯側操作入力部２０が設けられており、当該携帯側操作入力部２０を介して各種命令を入力することにより、所定の処理を実行するようになされている。
【００１８】
また下側筐体１４には、その正面１４Ａの下部に、マイク２１が設けられており、当該使用者の音声を集音するようになされている。
【００１９】
さらに下側筐体１４には、その背面に、バッテリパック（図示せず）が装着されており、電源兼終話入力ボタンを介して電源が投入されると、内部の各回路に電力を供給するようになされており、これにより携帯電話機１１は動作可能な状態になる。
【００２０】
次に外部表示装置３０においては、中央のヒンジ部３１を介して回動可能にそれぞれ接続された上側筐体３２と下側筐体３３とによって構成されている。
【００２１】
上側筐体３２には、その内部に、対携帯用アンテナ３６（図２）が設けられており、携帯電話機１１の内部に設けられた対外部装置用アンテナ２２（図２）との間で、電子メール用の文章や画像を送受信するようになされている。
【００２２】
また上側筐体３２には、その正面３２Ａの中央部に、携帯側表示部１８よりも大きな表示面積の液晶ディスプレイでなる外部装置側表示部３４が設けられており、対携帯用アンテナ３６によって受信した電子メール用の文章や画像等を表示するようになされている。
【００２３】
一方下側筐体３３には、その正面３３Ａの中央部に、各アルファベットボタン、シフトボタン、スペースボタン、左右の方向を指示する2つの方向指示ボタン、実行ボタン等から構成される外部装置側操作入力部３５が設けられており、当該外部装置側操作入力部３５を介して各種命令を入力することにより、携帯電話機１１により実行可能な各種機能及び当該携帯電話機１１では容易に実行できない画像編集処理等を実行し得るようになされている。
【００２４】
（１−２）携帯通信システム１０の回路構成
図２に示すように携帯電話機１１は、送受信用アンテナ１５で受信した基地局からの受信信号を携帯側データ処理部２４に送出する。
【００２５】
携帯側データ処理部２４は、送受信用アンテナ１５から供給された受信信号に対して所定のチャネル選択処理、増幅処理、アナログ／ディジタル変換処理、復調処理及びデコーダ処理を順次施し、この結果得た受信データが音声データである場合には、これをスピーカー１９を介して音声として出力し、この受信データが文字データ又は画像データである場合には、これを携帯側表示部１８に電子メールの文字又は画像として表示すると共に携帯側記憶部２５に記憶する。
【００２６】
またこの携帯側データ処理部２４は、マイク２１で集音した音声信号、携帯側操作入力部２０を介して入力された文字データ、又はカメラ１６で撮影したユーザの画像データに対してエンコーダ処理及び変調処理その他所定の処理を順次施し、その結果得た送信信号を送受信用アンテナ１５を介して基地局に送信する。
【００２７】
ところで携帯電話機１１においては、カメラ１６により撮像した図３（Ａ）に示すユーザの顔の表情画像Ｄ１（Ｄ１Ａ〜Ｄ１Ｄ）の画像データを携帯側記憶部２５に記憶すると共に、図３（Ｂ）に示す背景画像Ｄ２（Ｄ２Ａ〜Ｄ２Ｄ）及び図３（Ｃ）に示す装飾画像Ｄ３（Ｄ３Ａ〜Ｄ３Ｄ）の画像データについても予め携帯側記憶部２５に記憶するようになされている。
【００２８】
そして携帯電話機１１においては、携帯側記憶部２５から、表情画像Ｄ１、背景画像Ｄ２Ａ及び装飾画像Ｄ３を、表情画像Ｄ１Ａ→Ｄ１Ｂ→Ｄ１Ｃ→Ｄ１Ｄ→Ｄ１Ａ→・・・、背景画像Ｄ２Ａ→Ｄ２Ｂ→Ｄ２Ｃ→Ｄ２Ｄ→Ｄ２Ａ→・・・、装飾画像Ｄ３Ａ→Ｄ３Ｂ→Ｄ３Ｃ→Ｄ３Ｄ→Ｄ３Ａ→・・・により規定される順序でそれぞれ読み出すようになされており、現在読み出している表情画像Ｄ１、背景画像Ｄ２及び装飾画像Ｄ３に基づく合成画像を携帯側表示部１８に表示し得るようになされている。
【００２９】
実際上携帯側ＣＰＵ２３は、ユーザにより携帯側入力部２０を介して画像編集モードが設定されると、図４（Ａ）に示すデフォルト時の表情画像Ｄ１Ａ、背景画像Ｄ２Ａ及び装飾画像Ｄ３Ａの画像データを携帯側記憶部２５からそれぞれ読み出して、当該読出し結果を携帯側データ処理部２４に送出するようになされている。
【００３０】
携帯側データ処理部２４は、携帯側記憶部２５から読み出された表情画像Ｄ１Ａ、背景画像Ｄ２Ａ及び装飾画像Ｄ３Ａの画像データを合成し、その合成結果を図４（Ａ）に示すデフォルト時の合成画像Ｄ４Aを携帯側表示部１８に表示する。
【００３１】
また同時に携帯側データ処理部２４は、携帯側記憶部２５から読み出された表情画像Ｄ１Ａ、背景画像Ｄ２Ａ及び装飾画像Ｄ３Ａの画像データを対外部装置用アンテナ２２を介して外部表示装置３０に送信する。
【００３２】
因みに携帯電話機１１と外部表示装置３０との間の通信は、近距離無線通信規格であるBluetooth（ブルートゥース：Bluetooth SIG(Special Interest Group)の登録商標）に準拠した方式に従って行われるようになされており、2.4[GHz]のISM（Industrial Scientific Medical）帯に1[MHz]のチャネルを79個設定し、1秒間に1600回チャネルを切り替える周波数ホッピング方式のスペクトラム拡散通信方式を用い、データ伝送速度1[Mbit]（実効721[kbit／秒]）で10[m]のデータ伝送を行う。
【００３３】
外部装置側データ処理部３８は、携帯端末機１１から送信された表情画像Ｄ１Ａ、背景画像Ｄ２Ａ及び装飾画像Ｄ３Ａの画像データを対携帯用アンテナ３６を介して受信し、外部表示装置側バスＢＵＳ２を介して外部装置側表示部３４に送出する。
【００３４】
外部装置側表示部３４は、図４（Ａ）に示すように、外部装置側データ処理部３８から供給された表情画像Ｄ１Ａ、背景画像Ｄ２Ａ及び装飾画像Ｄ３Ａをそれぞれ同時に並べて表示する。
【００３５】
ここで表情画像Ｄ１Ａ、背景画像Ｄ２Ａ及び装飾画像Ｄ３Ａの中にユーザが変更したい画像（以下これを変更対象画像と呼ぶ）が含まれる場合において、外部装置側データ処理部３８は、ユーザにより外部装置側操作部３５を介して画像Ｄ１Ａ〜Ｄ３Ａの中から変更対象画像が選択されると、当該選択情報を有する画像変更信号Ｓ１を対携帯用アンテナ３６を介して携帯電話機１１に送信する。
【００３６】
携帯側データ処理部２４は、外部表示装置３０から送信された画像変更信号Ｓ１の画像の種類（表情画像Ｄ１、背景画像Ｄ２又は装飾画像Ｄ３）を判別し、この種類における次順の画像データを携帯側記憶部２５から読み出して、対外部装置用アンテナ２２を介して外部表示装置３０に送信する。このとき部表示装置３０は、外部装置側表示部３４に、変更対象画像の代わりに携帯電話機１１から送信された当該次の順番の画像を表示する。
【００３７】
また携帯側データ処理部２４は、当該次順の画像データと、変更対象ではない他の2つの画像データとを合成し、その新たな合成画像を携帯側表示部１８に送出する。携帯側表示部１８は、携帯側データ処理部２４から供給された合成画像に基づく新たな合成画像を表示する。
【００３８】
このような外部表示装置３０における画像編集作業は、携帯側表示部１８に表示される合成画像がユーザの所望の画像になるまで繰り返される。
【００３９】
従ってユーザは、外部装置側操作入力部３５を介して同時にそれぞれ表示される表情画像Ｄ１、背景画像Ｄ２及び装飾画像Ｄ３の中から変更対象画像を選択するだけで、当該変更後における新たな合成画像Ｄ４を携帯電話機１１の携帯側表示部１８で瞬時に目視確認することができるようになされている。
【００４０】
（１−３）合成画像編集処理手順
続いて携帯通信システム１０による合成画像編集処理手順について図５のフローチャートを用いて説明する。すなわち携帯通信システム１０においては、携帯電話機１１及び外部表示装置３０の各電源が投入されると、携帯電話機１１についてはルーチンＲＴ１から入って次の開始ステップＳＰ１に移ると共に、外部表示装置３０についてはルーチンＲＴ２から入って次の開始ステップＳＰ２１に移る。
【００４１】
ステップＳＰ１において携帯側ＣＰＵ２３は、ユーザにより携帯側入力部２０を介して画像編集モードが設定されると、図４（Ａ）に示すデフォルト時の表情画像Ｄ１Ａ、背景画像Ｄ２Ａ及び装飾画像Ｄ３Ａの画像データを携帯側記憶部２５からそれぞれ読み出して携帯側データ処理部２４に送出し、これら表情画像Ｄ１Ａ、背景画像Ｄ２Ａ及び装飾画像Ｄ３Ａの画像データを合成することにより、図４（Ａ）に示すデフォルト時の合成画像Ｄ４Ａを生成する。
【００４２】
そして携帯側ＣＰＵ２３は、携帯側データ処理部２４から合成画像Ｄ４Ａを携帯側バスＢＵＳ１を介して携帯側表示部１８に送出し、図４（Ａ）に示すように、この合成画像Ｄ４Ａを表示した後、次のステップＳＰ２に移る。
【００４３】
ステップＳＰ２において携帯側ＣＰＵ２３は、ユーザにより携帯側入力部２０を介して画像編集命令が行われたか否かを判定する。このステップＳＰ２で否定結果が得られると、このことは合成画像の編集が不要であることを意味しており、このとき携帯側ＣＰＵ２３は後述のステップＳＰ７に移る。これに対してステップＳＰ２で肯定結果が得られると、このことは合成画像の編集が必要であることを意味しており、このとき携帯側ＣＰＵ２３は画像編集モードを設定し、次のステップＳＰ３に移る。
【００４４】
ステップＳＰ３において携帯側ＣＰＵ２３は、携帯側記憶部２５から既に読み出してある表情画像Ｄ１Ａ、背景画像Ｄ２Ａ及び装飾画像Ｄ３Ａの画像データを、携帯側データ処理部２４から対外部装置用アンテナ２２を介して外部表示装置３０に送信した後、次のステップＳＰ４に移る。
【００４５】
これによりステップＳＰ２１において外部装置側ＣＰＵ３７は、対携帯用アンテナ３６、外部装置側データ処理部３８及び外部装置側バスＢＵＳ２を順次介して供給された表情画像Ｄ１Ａ、背景画像Ｄ２Ａ及び装飾画像Ｄ３Ａを、図４（Ａ）に示すように、外部装置側表示部３４に並べて表示した後、次のステップＳＰ２２に移る。
【００４６】
ステップＳＰ２２において外部装置側ＣＰＵ３７は、例えばユーザにより外部装置側操作部３５を介して表情画像Ｄ１Ａが変更対象画像として選択されると、次のステップＳＰ２３に移る。
【００４７】
ステップＳＰ２３において外部装置側ＣＰＵ３７は、代わりの画像を要求するための画像変更信号Ｓ１を対携帯用アンテナ３６を介して携帯電話機１１に送信してステップＳＰ２４に移る。
【００４８】
その後ステップＳＰ４において携帯側ＣＰＵ２３は、対外部装置用アンテナ２２、携帯側データ処理部２４及び携帯側バスＢＵＳ１を介して画像変更信号Ｓ１の供給を受けると、携帯側記憶部２５から次の表情画像Ｄ１Ｂ（図３）の画像データを読み出して外部表示装置３０に送信し、次のステップＳＰ５に移る。
【００４９】
ステップＳＰ５において携帯側ＣＰＵ２３は、携帯側記憶部２５から新たに読み出した表情画像Ｄ１Ｂの画像データと、既に読み出された背景画像Ｄ２Ａ及び装飾画像Ｄ３Ａの画像データとを合成することにより、図４（Ｂ）に示すような合成画像Ｄ４Ｂを携帯側表示部１８に表示した後、次のステップＳＰ６に移る。
【００５０】
このとき同時にステップＳＰ２４において外部装置側ＣＰＵ３７は、携帯電話機１１から受信した表情画像Ｄ１Ｂの画像データを外部装置側データ処理部３８及び外部装置側バスＢＵＳ２を順次介して外部装置側表示部３４に送出し、図４（Ｂ）に示すように、表情画像Ｄ１Ａの代わりに表情画像Ｄ１Ｂを表示した後、次のステップＳＰ２５に移る。
【００５１】
ステップＳＰ２５において外部装置側ＣＰＵ３７は、ユーザにより携帯側入力部２０を介して変更容認操作が行われたか否かを判定する。このステップＳＰ２５で否定結果が得られると、このことは変更した表情画像Ｄ１Ｂがユーザの所望の画像ではないことを意味しており、このとき外部装置側ＣＰＵ３７は、ステップＳＰ２３に戻る。
【００５２】
これに対してステップＳＰ２５で肯定結果が得られると、このことは変更した表情画像Ｄ１Ｂがユーザの所望の画像であることを意味しており、このとき外部装置側ＣＰＵ３７は、ステップＳＰ２６に移る。このようにして外部装置側ＣＰＵ３７は、表情画像データＤ１がユーザの所望の画像になるまでステップＳＰ２３〜ステップＳＰ２５を繰り返す。
【００５３】
ステップＳＰ２６において外部装置側ＣＰＵ３７は、ユーザにより携帯側入力部２０を介して表情画像Ｄ１を除く他の画像（背景画像Ｄ２又は装飾画像Ｄ３）を変更対象画像として選択するための画像選択命令が入力されたか否かを判定する。このステップＳＰ２６で否定結果が得られると、このことは他に変更対象画像がないことを意味しており、このとき外部装置側ＣＰＵ３７は、後述のステップＳＰ２７に移る。
【００５４】
このステップＳＰ２６で肯定結果が得られると、このことは他に変更対象画像がまだあることを意味しており、このとき外部装置側ＣＰＵ３７はステップＳＰ２２に戻る。
【００５５】
このようにして外部装置側ＣＰＵ３７は、変更対象画像がなくなるまで、ステップＳＰ２２〜ステップＳＰ２６を繰り返す。
【００５６】
外部装置側ＣＰＵ３７は、以上のステップＳＰ２２〜ステップＳＰ２６を繰り返すことにより、例えば図４（Ｃ）に示すように背景画像Ｄ２として背景画像Ｄ２Ｂを選択し、そして最終的に図４（Ｄ）に示すように装飾画像Ｄ３として装飾画像Ｄ３Ｂを選択する。
【００５７】
ステップＳＰ２７において外部装置側ＣＰＵ３７は、ユーザにより携帯側入力部２０を介して編集終了命令が入力されると、外部装置側データ処理部３８及び対携帯用アンテナ３６を順次介して編集終了信号Ｓ２を携帯電話機１１へ送信し、次のステップＳＰ２８に移ってルーチンＲＴ２における外部表示装置３０の編集処理を終了する。
【００５８】
この後ステップＳＰ６において携帯側ＣＰＵ２３は、外部表示装置３０から送信された編集終了信号Ｓ２を受信すると、現在携帯側表示部１８に表示中の合成画像Ｄ４Ｄの画像データを携帯側記憶部２５に送出して記憶し、携帯電話機１１における画像編集処理を終了した後、次のステップＳＰ７に移る。
【００５９】
ステップＳＰ７において携帯側ＣＰＵ２３は、ユーザにより携帯側入力部２０を介して画像送信命令が入力されたか否かを判定する。このステップＳＰ７で否定結果が得られると、このことは合成画像Ｄ４Ｄのメール送信が不要であることを意味し、このとき携帯側ＣＰＵ２３は次のステップＳＰ９に移ってルーチンＲＴ１における携帯電話機１１の全処理を終了する。
【００６０】
これに対してこのステップＳＰ７で肯定結果が得られると、このことは合成画像Ｄ４Ｄに係るメール送信が必要であることを意味し、このとき携帯側ＣＰＵ２３は次のステップＳ８に移る。
【００６１】
ステップＳ８において携帯側ＣＰＵ２３は、合成画像Ｄ４Ｄのデータを携帯側データ処理部２４を介して送受信アンテナ１５から基地局に送信した後、次のステップＳＰ９に移ってルーチンＲＴ１における携帯電話機１１の全処理を終了する。
【００６２】
（１−４）第１の実施の形態における動作及び効果
以上の構成において、携帯通信システム１０では、携帯電話機１１と外部表示装置３０とを無線接続して、携帯側表示部１８に表示中の合成画像Ｄ４を構成している表情画像Ｄ１、背景画像Ｄ２及び装飾画像Ｄ３を外部装置側表示部３４にそれぞれ同時に表示し、ユーザにより外部装置側操作入力部３５を介して表情画像Ｄ１、背景画像Ｄ２及び装飾画像Ｄ３の中から変更対象画像が選択された場合に、変更後における表情画像Ｄ１、背景画像Ｄ２及び装飾画像Ｄ３を外部装置側表示部３４にそれぞれ同時に表示すると共に、ほぼリアルタイムで当該変更後における合成画像Ｄ４を携帯側表示部１８に表示する。
【００６３】
従ってこの携帯通信システム１０によれば、ユーザは外部装置側表示部３４を介して表情画像Ｄ１、背景画像Ｄ２及び装飾画像Ｄ３を同時に参照しながらこれらの画像Ｄ１〜Ｄ３の中から変更対象画像を容易に選択することができると共に、携帯側表示部１８を介して当該変更後における合成画像Ｄ４を瞬時に目視確認することができる。
【００６４】
以上の構成によれば、携帯電話機１１と外部表示装置３０とを無線接続して、携帯側表示部１８に表示中の合成画像Ｄ４を構成している表情画像Ｄ１、背景画像Ｄ２及び装飾画像Ｄ３を外部装置側表示部３４にそれぞれ同時に表示し、ユーザにより外部装置側操作入力部３５を介して表情画像Ｄ１、背景画像Ｄ２及び装飾画像Ｄ３の中から変更対象画像が選択された場合に、変更後における表情画像Ｄ１、背景画像Ｄ２及び装飾画像Ｄ３を外部装置側表示部３４にそれぞれ同時に表示すると共に、ほぼリアルタイムで当該変更後における合成画像Ｄ４を携帯側表示部１８に表示するようにしたことにより、ユーザは外部装置側表示部３４を介して表情画像Ｄ１、背景画像Ｄ２及び装飾画像Ｄ３を同時に参照しながらこれらの画像Ｄ１〜Ｄ３の中から容易に変更対象画像を選択することができると共に、携帯側表示部１８を介して当該変更後における合成画像Ｄ４を瞬時に目視確認することができる。
【００６５】
（２）第２の実施の形態
第２の実施の形態による携帯通信システム１０においては、動画を構成する各静止画像を外部表示装置３０に表示すると共に、その動画を携帯電話機１１に表示し、外部表示装置３０で静止画像の編集を行った場合には、その結果得られる動画を携帯電話機１１に表示するようになされている。なお携帯電話機１０は、その構成が第１の実施の形態と同様であり、ここではその説明を省略する。
【００６６】
この場合携帯電話機１１においては、例えばカメラ１６により撮像した図６（Ａ）に示すユーザの顔の静止画像Ｄ１０（Ｄ１０Ａ〜Ｄ１０Ｊ）のデータを携帯側記憶部２５内に記憶するようになされている。
【００６７】
そして携帯電話機１１においては、携帯側記憶部２５から静止画像Ｄ１０Ａ→Ｄ１０Ｂ→Ｄ１０Ｃ→・・・→Ｄ１０Ｊ→１０Ａ→・・・により規定される順序で5つ読み出すと共に、現在読み出している5つの静止画像を使用してその読出し順に動画を表示し得るようになされている。
【００６８】
実際上携帯側ＣＰＵ２３は、ユーザにより携帯側入力部２０を介して画像編集モードが設定されると、図７（Ａ）に示すデフォルト時の5つの静止画像Ｄ１０Ａ〜Ｄ１０Ｅの画像データを携帯側記憶部２５からそれぞれ読み出して、当該読出結果を携帯側データ処理部２４に送出するようになされている。
【００６９】
また携帯側データ処理部２４は、携帯側記憶部２５から読み出した静止画像Ｄ１０Ａ〜Ｄ１０Ｅのデータを対外部装置用アンテナ２２を介して外部表示装置３０に送信する。
【００７０】
外部装置側表示部３４は、図７（Ａ）に示すように、携帯端末機１１から送信された静止画像Ｄ１Ａ〜Ｄ１Ｅを順次互いにわずかに重ねた状態で並べて表示する。これによりユーザは、外部装置側表示部３４に表示される静止画像Ｄ１Ａ〜Ｄ１Ｅを参照するだけで、動画の再生順序（Ｄ１０Ａ→Ｄ１０Ｂ→Ｄ１０Ｃ→Ｄ１０Ｄ→Ｄ１０Ｅ）を直感的に把握することができるようになされている。
【００７１】
また携帯側データ処理部２４は、携帯側記憶部２５から読み出された静止画像Ｄ１０Ａ〜Ｄ１０Ｅを携帯側バスＢＵＳ１を介して携帯側表示部１８に順次送出する。これによりユーザは、携帯側表示部１８に表示される動画を目視視認することができるようになされている。
【００７２】
ここで外部装置側データ処理部３８は、ユーザにより外部装置側操作部３５を介して静止画像Ｄ１０Ａ〜Ｄ１０Ｅの中から変更対象画像が選択されると、画像変更信号Ｓ１を対携帯用アンテナ３６を介して携帯電話機１１に送信する。
【００７３】
携帯側データ処理部２４は、外部表示装置３０から画像変更信号Ｓ１を受信すると、次の静止画像Ｄ１０Ｆ（現在の静止画像が静止画像Ｄ１０Ａ〜Ｄ１０Ｅより構成される場合は、当該次の静止画像は静止画像Ｄ１０Ｆ）の画像データを携帯側記憶部２５から読み出して、対外部装置用アンテナ２２を介して外部表示装置３０に送信する。このとき外部装置側表示部３４は、携帯電話機１１から新たに受信した当該次の静止画像１０Ｆを静止画像Ｄ１０Ｅに代えて表示する。
【００７４】
また携帯側データ処理部２４は、静止画像１０Ｆを携帯側表示部１８に順次送出し、5つの静止画像Ｄ１０Ａ、Ｄ１０Ｂ、Ｄ１０Ｃ、Ｄ１０Ｄ及びＤ１０Ｆに基づく新たな動画を表示する。
【００７５】
このような画像編集作業は、携帯側表示部１８に表示される動画がユーザの所望の動画になるまで繰り返される。
【００７６】
従ってユーザは、携帯側表示部１８に表示される動画Ｄ４の編集を望む場合には、外部装置側操作入力部３５を介して同時にそれぞれ表示される5つの静止画像から変更対象画像を容易に選択し、当該変更後における新たな動画を携帯側表示部１８で瞬時に目視視認することができるようになされている。
【００７７】
（２−１）動画編集処理手順
続いて携帯通信システム１０による動画編集処理手順について図８のフローチャートを用いて説明する。すなわち携帯通信システム１０においては、携帯電話機１１及び外部表示装置３０の各電源が投入されると、携帯電話機１１についてはルーチンＲＴ３から入って次の開始ステップＳＰ４１に移ると共に、外部表示装置３０についてはルーチンＲＴ４から入って次の開始ステップＳＰ６１に移る。
【００７８】
ステップＳＰ４１において携帯側ＣＰＵ２３は、ユーザにより携帯側入力部２０を介して画像編集モードが設定されると、図７（Ａ）に示すデフォルト時の静止画像Ｄ１０Ａ〜Ｄ１０Ｅを携帯側記憶部２５からそれぞれ読み出して携帯側バスＢＵＳ１を介して携帯側表示部１８にこの順序で送出してデフォルト時の動画として表示した後、次のステップＳＰ４２に移る。
【００７９】
ステップＳＰ４２において携帯側ＣＰＵ２３は、ユーザにより携帯側入力部２０を介して画像編集命令が入力されたか否かを判定する。このステップＳＰ４２で否定結果が得られると、このことは動画の編集が不要であることを意味しており、このとき携帯側ＣＰＵ２３は後述のステップＳＰ４７に移る。これに対してステップＳＰ４２で肯定結果が得られると、このことは動画の編集が必要であることを意味しており、このとき携帯側ＣＰＵ２３は次のステップＳＰ４３に移る。
【００８０】
ステップＳＰ４３において携帯側ＣＰＵ２３は、携帯側記憶部２５から読み出してあるデフォルト時の静止画像データＤ１０Ａ〜Ｄ１０Ｅを、携帯側データ処理部２４から対外部装置用アンテナ２２を介して外部表示装置３０に送信した後、次のステップＳＰ４４に移る。
【００８１】
この後ステップＳＰ６１において外部装置側ＣＰＵ３７は、携帯端末機１１から順次受信した静止画像Ｄ１０Ａ〜Ｄ１０Ｅを図７（Ａ）に示すように、外部装置側表示部３４に順次互いに重ねた状態で表示した後、次のステップＳＰ６２に移る。
【００８２】
ステップＳＰ６２において外部装置側ＣＰＵ３７は、ユーザにより外部装置側操作部３５を介して変更対象画像が選択されると、次のステップＳＰ６３に移る。
【００８３】
ステップＳＰ６３において外部表示側ＣＰＵ３７は、画像変更信号Ｓ１を対携帯用アンテナ３６を介して携帯電話機１１に送信してステップＳＰ６４に移る。
【００８４】
これによりステップＳＰ４４において携帯側ＣＰＵ２３は、対外部装置用アンテナ２２、携帯側データ処理部２４及び携帯側バスＢＵＳ１を介して画像変更信号Ｓ１の供給を受けると、携帯側記憶部２５から次の静止画像Ｄ１０Ｆ（図３）を読み出して、外部表示装置３０に送信し、次のステップＳＰ４５に移る。
【００８５】
ステップＳＰ４５において携帯側ＣＰＵ２３は、携帯側記憶部２５から既に読み出してなる静止画像Ｄ１０Ａ〜Ｄ１０Ｄと、携帯側記憶部２５から読み出した静止画像Ｄ１０Ｆとをこの順序で携帯側バスＢＵＳ１を介して携帯側表示部１８に順次送出して動画として表示した後、次のステップＳＰ４６に移る。
【００８６】
このとき同時にステップＳＰ６４において外部装置側ＣＰＵ３７は、携帯電話機１１から受信した静止画像Ｄ１０Ｆを外部装置側データ処理部３８及び外部装置側バスＢＵＳ２を順次介して外部装置側表示部３４に送出し、図７（Ｂ）に示すように、静止画像Ｄ１０Ｅの代わりに静止画像Ｄ１０Ｆに基づく画像を表示した後、次のステップＳＰ６５に移る。
【００８７】
ステップＳＰ６５において外部装置側ＣＰＵ３７は、ユーザにより携帯側入力部２０を介して変更容認命令が入力されたか否かを判定する。このステップＳＰ６５で否定結果が得られると、このことは変更した静止画像Ｄ１０Ｆがユーザの所望の画像ではないことを意味しており、このとき外部装置側ＣＰＵ３７は、ステップＳＰ６３に戻る。
【００８８】
これに対してステップＳＰ６５で肯定結果が得られると、このことは変更した静止画像Ｄ１０Ｆがユーザの所望の画像であることを意味しており、このとき外部装置側ＣＰＵ３７は、ステップＳＰ６６に移る。このように外部装置側ＣＰＵ３７は、静止画像Ｄ１０がユーザの所望の画像になるまでステップＳＰ６３〜ステップＳＰ６５を繰り返す。ここでは静止画像Ｄ１Ｂがユーザの所望の画像であることから、ステップＳＰ６６に移る。
【００８９】
ステップＳＰ６６において外部装置側ＣＰＵ３７は、ユーザにより携帯側入力部２０を介して静止画像Ｄ１０Ｆを除く他の画像（静止画像Ｄ１０Ａ、１０Ｂ、１０Ｃ及び１０Ｄ）を変更対象画像として選択するための画像選択命令が入力されたか否かを判定する。
【００９０】
このステップＳＰ６６で肯定結果が得られると、このことは他に変更対象画像がまだあることを意味しており、このとき外部装置側ＣＰＵ３７はステップＳＰ６２に戻る。
【００９１】
このようにして外部装置側ＣＰＵ３７は、変更対象画像がなくなるまで、ステップＳＰ６２〜ステップＳＰ６６を繰り返す。
【００９２】
これに対してこのステップＳＰ６６で否定結果が得られると、このことは他に変更対象画像がないことを意味しており、このとき外部装置側ＣＰＵ３７は、後述のステップＳＰ６７に移る。
【００９３】
ステップＳＰ６７において外部装置側ＣＰＵ３７は、ユーザにより携帯側入力部２０を介して編集終了命令が入力されると、外部装置側データ処理部３８及び対携帯用アンテナ３６を順次介して編集終了信号Ｓ２を送出し、次のステップＳＰ６８に移ってルーチンＲＴ４における外部表示装置３０の編集処理を終了する。
【００９４】
この後ステップＳＰ４６において携帯側ＣＰＵ２３は、外部表示装置３０から送信された編集終了信号Ｓ２を受信すると、現在携帯側表示部１８に表示中の静止画像Ｄ１０Ａ〜１０Ｄ及び１０Ｆを携帯側記憶部２５に送出して、この順序で再生できるように記憶し、次のステップＳＰ６７に移る。
【００９５】
ステップＳＰ４７において携帯側ＣＰＵ２３は、ユーザにより携帯側入力部２０を介して画像送信命令が入力されたか否かを判定する。このステップＳＰ４７で否定結果が得られると、このことは静止画像Ｄ１０Ａ〜１０Ｄ及び１０Ｆから構成される動画データのメール送信が不要であることを意味し、このとき携帯側ＣＰＵ２３は次のステップＳＰ４９に移ってルーチンＲＴ３における携帯電話機１１の全処理を終了する。
【００９６】
これに対してこのステップＳＰ４７で肯定結果が得られると、このことは静止画像Ｄ１０Ａ〜１０Ｄ及び１０Ｆからなる動画データのメール送信が必要であることを意味し、このとき携帯側ＣＰＵ２３は次のステップＳ４８に移る。
【００９７】
ステップＳ４８において携帯側ＣＰＵ２３は、静止画像Ｄ１０Ａ〜１０Ｄ及び１０Ｆから構成される動画を携帯側データ処理部２４を介して送受信アンテナ１５から基地局に順次送信した後、次のステップＳＰ４９に移ってルーチンＲＴ３における携帯電話機１１における全処理を終了する。
【００９８】
（２−２）第２の実施の形態における動作及び効果
以上の構成において、携帯通信システム１０では、携帯電話機１１と外部表示装置３０とを無線接続して、携帯側表示部１８に表示中の動画を構成している5つの静止画像Ｄ１０（Ｄ１０Ａ、Ｄ１０Ｂ、Ｄ１０Ｃ、Ｄ１０Ｄ及びＤ１０Ｅ）を外部装置側表示部３４に並べると同時に隣接する静止画像Ｄ１０（Ｄ１０Ａ及びＤ１０Ｂ、Ｄ１０Ｂ及びＤ１０Ｃ、Ｄ１０Ｃ及びＤ１０Ｄ、並びにＤ１０Ｄ及びＤ１０Ｅ）同士を多少重ねて表示し、ユーザにより外部装置側操作入力部３５を介して静止画像Ｄ１０（Ｄ１０Ａ、Ｄ１０Ｂ、Ｄ１０Ｃ、Ｄ１０Ｄ及びＤ１０Ｅ）の中から変更対象画像（Ｄ１０Ｅ）が選択された場合に、変更後における静止画像Ｄ１０（Ｄ１０Ａ、Ｄ１０Ｂ、Ｄ１０Ｃ、Ｄ１０Ｄ及びＤ１０Ｆ）を外部装置側表示部３４にそれぞれ同時に表示すると共に、ほぼリアルタイムで当該変更後における動画を携帯側表示部１８に表示する。
【００９９】
従ってこの携帯通信システム１０によれば、ユーザは外部装置側表示部３４を介して5つの静止画像Ｄ１０を同時に参照しながら、静止画像Ｄ１０が重ねられた順序に応じて当該静止画像Ｄ１０の順序を直感的に把握し、これら静止画像Ｄ１０の中から変更対象画像を容易に選択することができると共に、携帯側表示部１８を介して当該変更後における動画を瞬時に目視確認することができる。
【０１００】
以上の構成によれば、携帯電話機１１と外部表示装置３０とを無線接続して、携帯側表示部１８に表示中の動画を構成している5つの静止画像Ｄ１０（Ｄ１０Ａ、Ｄ１０Ｂ、Ｄ１０Ｃ、Ｄ１０Ｄ及びＤ１０Ｅ）を外部装置側表示部３４に並べると同時に隣接する静止画像Ｄ１０（Ｄ１０Ａ及びＤ１０Ｂ、Ｄ１０Ｂ及びＤ１０Ｃ、Ｄ１０Ｃ及びＤ１０Ｄ、並びにＤ１０Ｄ及びＤ１０Ｅ）同士を多少重ねて表示し、ユーザにより外部装置側操作入力部３５を介して静止画像Ｄ１０（Ｄ１０Ａ、Ｄ１０Ｂ、Ｄ１０Ｃ、Ｄ１０Ｄ及びＤ１０Ｅ）の中から変更対象画像（Ｄ１０Ｅ）が選択された場合に、変更後における静止画像Ｄ１０（Ｄ１０Ａ、Ｄ１０Ｂ、Ｄ１０Ｃ、Ｄ１０Ｄ及びＤ１０Ｆ）を外部装置側表示部３４にそれぞれ同時に表示すると共に、ほぼリアルタイムで当該変更後における動画を携帯側表示部１８に表示するようにしたことにより、ユーザは外部装置側表示部３４を介して5つの静止画像Ｄ１０を同時に参照しながら、静止画像Ｄ１０が重ねられた順序に応じて当該静止画像Ｄ１０の順序を直感的に把握し、これら静止画像Ｄ１０の中から変更対象画像を容易に選択することができると共に、携帯側表示部１８を介して当該変更後における動画を瞬時に目視確認することができる。
【０１０１】
（３）他の実施の形態
なお上述の第１及び第２の実施の形態においては、携帯端末装置として携帯電話機１１を適用するようにした場合について述べたが、本発明はこれに限らず、例えば簡易型携帯電話システム（PHS：Personal Handyphone System）その他の移動通信端末を適用するようにしても良い。
【０１０２】
また上述の第１及び第２の実施の形態においては、複合画像として合成画像又は動画を適用するようにした場合について述べたが、本発明はこれに限らず、例えば立体画像等を適用するようにしても良い。
【０１０３】
さらに上述の第１及び第２の実施の形態においては、3又は5つの画像データを組み合わせて複合画像を表示するようにした場合について述べたが、本発明はこれに限らず、複合画像を構成する画像データ数は2以上であれば良い。ただし画像データ数は、各画像データに基づく画像が外部装置側表示部３４にそれぞれ同時に表示できることを限度とする。
【０１０４】
さらに上述の第１及び第２の実施の形態においては、外部の携帯端末装置（携帯端末機１１）が予め記憶している基本画像（表情画像Ｄ１、背景画像Ｄ２及び装飾画像Ｄ３又は静止画像Ｄ１０）の画像群に含まれる複数の基本画像を組み合わせて表示する複合画像（合成画像Ｄ４又は動画）を構成している複数の基本画像を携帯端末装置から受信する通信手段として対携帯用アンテナ３６を適用し、通信手段によって受信した複数の基本画像をそれぞれ同時に表示する表示手段として外部装置側表示部３４を適用し、複数の基本画像の何れかを変更する操作が行われた場合、画像群に含まれる他の基本画像を通信手段を介して携帯端末装置に要求し、携帯端末装置から受信した他の基本画像により当該変更対象の基本画像を置換して表示手段に表示すると共に、携帯端末装置に当該置換後の複合画像を表示させる制御手段として外部装置側ＣＰＵ３７を適用するようにして、変更対象画像を外部装置側操作入力部３５を介して選択するようにした場合について述べたが、本発明はこれに限らず、例えば、予め記憶している基本画像の画像群に含まれる複数の基本画像を組み合わせてなる複合画像を表示する表示手段として携帯側表示部１８を適用し、表示手段によって表示した複合画像を構成している複数の基本画像を外部の外部表示装置に送信する送信手段として対外部装置用アンテナ２２を適用し、複数の基本画像を外部表示装置にそれぞれ同時に表示させる制御手段として携帯側ＣＰＵ２３を適用するようにしても良い。かかる場合、制御手段は、複数の基本画像の何れかを変更する操作が行われた場合、当該変更対象の基本画像を画像群に含まれる他の基本画像に置換し、当該置換後の複合画像を表示手段に表示すると共に、当該置換後の複合画像を構成する複数の基本画像を送信手段を介してそれぞれ表示させるようにして、変更対象画像を携帯側操作入力部２０を介して選択するようにしても良い。
【０１０５】
さらに上述の第１及び第２の実施の形態においては、携帯電話機１１と外部表示装置３０とを無線を介して通信可能に接続するようにした場合について述べたが、本発明はこれに限らず、例えばUSB（Universal Serial Bus）による有線接続その他の接続方式を介して通信可能にするようにしても良い。
【０１０６】
さらに上述の第１及び第２の実施の形態においては、基本画像として表情画像Ｄ１、背景画像Ｄ２及び装飾画像Ｄ３又は静止画像Ｄ１０を適用するようにした場合について述べたが、本発明はこれに限らず、例えば複数のメロディーのタイトルが含まれるメロディーメニュー画像も併せて適用するようにしても良い。かかる場合、まず携帯側表示部１８にデフォルト時の合成画像Ｄ４又は動画が表示されると同時に、これら合成画像Ｄ４又は動画に添付されるための、メロディーメニュー画像から自動的に選択されたデフォルト時のメロディーが携帯電話機１１のスピーカー１９から出力される。そしてユーザは、メロディーメニュー画像を参照して、何れかのメロディーのタイトルを選択してデフォルト時のメロディーを変更すると、携帯電話機１１のスピーカー１９から変更後のメロディーが出力される。このように、携帯電話機１１及び外部表示装置３０を組み合わせて用いることにより、合成画像Ｄ４又は動画の画像編集に加えて、画像に添付されるメロディーの選択作業も容易に行うことができる。
【０１０７】
さらに上述の第１の実施の形態においては、表情画像、背景画像及び装飾画像としてそれぞれ表情画像Ｄ１Ｂ、背景画像Ｄ２Ｂ及び装飾画像Ｄ３Ｂを選択するようにした場合について述べたが、本発明はこれに限らず、図３に示す所望の表情画像、背景画像及び装飾画像を選択するようにしても良い。
【０１０８】
さらに上述の第２の実施の形態においては、静止画像として静止画像Ｄ１０Ａ、Ｄ１０Ｂ、Ｄ１０Ｃ、Ｄ１０Ｄ及びＤ１０Ｆを選択するようにした場合について述べたが、本発明はこれに限らず、図６に示す所望の静止画像を選択するようにしても良い。
【０１０９】
【発明の効果】
上述のように本発明によれば、携帯端末装置及び外部表示装置からなる携帯通信システムであって、携帯端末装置は、予め記憶している基本画像の画像群に含まれる複数の基本画像を組み合わせてなる複合画像を表示する表示手段と、表示手段によって表示した複合画像を構成する複数の基本画像を外部表示装置に送信する送信手段と、複合画像を構成する複数の基本画像の何れかを変更する操作が行われた場合、当該変更対象の基本画像を画像群に含まれる他の基本画像に置換し、当該置換後の複合画像を表示手段に表示させると共に、他の基本画像を外部表示装置に送信手段を介して送信する制御手段とを有し、外部表示装置は、複合画像を構成する複数の基本画像を携帯端末装置から受信する通信手段と、通信手段によって受信した複合画像を構成する複数の基本画像をそれぞれ同時に表示する表示手段と、複合画像を構成する複数の基本画像の何れかを変更する操作が行われた場合、他の基本画像を通信手段を介して携帯端末装置に要求し、携帯端末装置から受信した他の基本画像により当該変更対象の基本画像を置換して表示手段に表示させる制御手段とを有することにより、ユーザは外部表示装置を介して各基本画像を同時に参照しながら、これら基本画像の中から容易に変更対象の画像を選択することができると共に、携帯端末装置を介して当該変更後における複合画像を瞬時に目視視認することができ、かくして画像編集作業を一段と容易に実行できる。
【０１１０】
また本発明によれば、画像編集方法であって、携帯端末装置において、予め記憶している基本画像の画像群に含まれる複数の基本画像を組み合わせてなる複合画像を表示すると共に複合画像を構成する複数の基本画像を外部表示装置に送信し、外部表示装置において、複合画像を構成する複数の基本画像を携帯端末装置から受信し、複合画像を構成する複数の基本画像をそれぞれ同時に表示する第１のステップと、複合画像を構成する複数の基本画像の何れかを変更する操作が行われた場合、携帯端末装置において、当該変更対象の基本画像を画像群に含まれる他の基本画像に置換し、当該置換後の複合画像を表示すると共に、他の基本画像を外部表示装置に送信し、外部表示装置において、携帯端末装置から受信した他の基本画像により当該変更対象の基本画像を置換して表示する第２のステップとを設けるようにしたことにより、ユーザは外部表示装置を介して各基本画像を同時に参照しながら、これら基本画像の中から容易に変更対象の画像を選択することができると共に、携帯端末装置を介して当該変更後における複合画像を瞬時に目視視認することができ、かくして画像編集作業を一段と容易に実行できる。
【図面の簡単な説明】
【図１】第１の実施の形態による通信通信システムの外観構成を示す概略図である。
【図２】第１の実施の形態による携帯通信システムの内部構成を示すブロック図である。
【図３】第１の実施の形態による非選択画像を示す図である。
【図４】第１の実施の形態による合成画像の形成過程の説明に供する図である。
【図５】第１の実施の形態による合成画像の処理手順を示すフローチャートである。
【図６】第２の実施の形態による非選択画像を示す図である。
【図７】第２の実施の形態による合成画像の形成過程の説明に供する図である。
【図８】第２の実施の形態による合成画像の処理手順を示すフローチャートである。
【符号の説明】
１０……携帯通信システム、１１……携帯電話機、１５……送受信用アンテナ、１６……カメラ、１８……携帯側表示部、２０……携帯側操作入力部、２２……対外部装置用アンテナ、２３……携帯側ＣＰＵ、２４……携帯側データ処理部、２５……携帯側記憶部、３０……外部表示装置、３４……外部装置側表示部、３５……外部装置側操作入力部、３６……対携帯用アンテナ、３７……外部装置側ＣＰＵ、３８……外部装置側データ処理部、３９……外部装置側記憶部、ＢＵＳ１……携帯側バス、ＢＵＳ２……外部装置側バス、Ｄ１……表示画像データ、Ｄ２……背景画像データ、Ｄ３……装飾画像データ、Ｄ４……合成画像データ、Ｄ１０……静止画像データ、Ｓ１……画像変更信号、Ｓ２……編集終了信号。
【図１】
0004596206.tif 000002
【図２】
0004596206.tif 000003
【図３】
0004596206.tif 000004
【図４】
0004596206.tif 000005
【図５】
0004596206.tif 000006
【図６】
0004596206.tif 000007
【図７】
0004596206.tif 000008
【図８】
0004596206.tif 000009